(57)【要約】      （修正有）【課題】人間とペットの両方を納骨でき、人間単独用のものと同じサイズのスペースに設置することが可能な墓石を提供する。【解決手段】人間の骨の納骨を行う場合は、扉部１１を開けて人間用の納骨室１３に骨を収容する。これは、人間単独用の墓と同様である。ペットの遺骨の納骨を行う場合は、まず遺骨を納骨容器２９に収容する。そして、この納骨容器２９を収容穴１５の開口から入れて小径部へ入れる。収容穴１５は底部に向かって下降するように傾斜しているので、納骨容器２９は小径部へ滑り込み、その底が底部に当接したところで停止する。そして、段部に接着剤を塗布して、蓋３１を大径部へ嵌め込むように入れ縁部分を段部に当接させて、開口を閉鎖した状態で蓋３１を段部に接着する。【選択図】図１
0003199489.tif 000002
【実用新案登録請求の範囲】
【請求項１】
ブロック状の石から成るブロック状部を有する墓石において、前記ブロック状部に形成された有底の収容穴と、前記収容穴に収容されるペット用の納骨容器と、前記収容穴の開口を閉鎖する蓋とを具備することを特徴とする墓石。
【請求項２】
請求項１に記載した墓石において、収容穴は底部に向かって下降するように傾斜する形状に形成されていることを特徴とする墓石。
【請求項３】
請求項１または２に記載した墓石において、収容穴は開口側に形成された大断面積部と前記大断面積部より横断面の面積が小さく底側に形成された小断面積部とから成り、ペット用の納骨容器は前記小断面積部内に収容され、前記大断面積部と前記小断面積部との間に形成された段部に蓋の縁部分が接着されることを特徴とする墓石。
【請求項４】
請求項１から３のいずれかに記載した墓石において、収容穴の開口はブロック状部の前面に形成されていることを特徴とする墓石。
【請求項５】
請求項１から４のいずれかに記載した墓石において、収容穴は複数形成されていることを特徴とする墓石。
【請求項６】
請求項１から５のいずれかに記載した墓石において、蓋の前面に文字、絵柄等の表示体が形成されていることを特徴とする墓石。
【請求項７】
請求項１から６のいずれかに記載した墓石において、塔婆立てを有し、前記塔婆立ては、間隔を開けて互いに対向して配置された支柱と、前記一対の支柱間に渡設され塔婆を上方から差し込む梯子状のフレーム部とから成り、前記フレーム部は上下方向に多段になるように複数配置され、前記フレーム部に長寸法の人間用塔婆と短寸法のペット用塔婆の両方を立てることができるようになっていることを特徴とする墓石。
【考案の詳細な説明】
【技術分野】
【０００１】
本考案は墓石に係り、特に人間と愛玩動物（以下、ペットという。）の両方の納骨が可能な墓石に関するものである。
【背景技術】
【０００２】
近年、ペットを家族同然に扱い、ペットの遺骨を自分の墓に埋葬したいという飼主が増えている。そこで、墓地の区画内において、人間とペットの遺骨を埋葬する共同墓があり、このような共同墓が特許文献１に開示されている。この共同墓は、人間の墓の周囲にペットの墓を設けたものである。
【先行技術文献】
【特許文献】
【０００３】
【特許文献１】特開２００３−１２９６９５号公報
【考案の概要】
【考案が解決しようとする課題】
【０００４】
しかしながら、実際の墓地の区画では墓石の設置スペースに限界があり、人間用の墓石とは別にペットを埋葬するためのスペースを確保できない場合が少なくないという問題がある。
本考案は上記従来の問題点に着目して為されたものであり、人間とペットの両方を納骨でき、人間単独用のものと同じサイズのスペースに設置することが可能な墓石の提供を、その目的とする。
【課題を解決するための手段】
【０００５】
本考案は上記課題を解決するためになされたものであり、請求項１の発明は、ブロック状の石から成るブロック状部を有する墓石において、前記ブロック状部に形成された有底の収容穴と、前記収容穴に収容されるペット用の納骨容器と、前記収容穴の開口を閉鎖する蓋とを具備することを特徴とする墓石である。
【０００６】
請求項２の発明は、請求項１に記載した墓石において、収容穴は底部に向かって下降するように傾斜する形状に形成されていることを特徴とする墓石である。
【０００７】
請求項３の発明は、請求項１または２に記載した墓石において、収容穴は開口側に形成された大断面積部と前記大断面積部より横断面の面積が小さく底側に形成された小断面積部とから成り、ペット用の納骨容器は前記小断面積部内に収容され、前記大断面積部と前記小断面積部との間に形成された段部に蓋の縁部分が接着されることを特徴とする墓石である。
【０００８】
請求項４の発明は、請求項１から３のいずれかに記載した墓石において、収容穴の開口はブロック状部の前面に形成されていることを特徴とする墓石である。
【０００９】
請求項５の発明は、請求項１から４のいずれかに記載した墓石において、収容穴は複数形成されていることを特徴とする墓石である。
【００１０】
請求項６の発明は、請求項１から５のいずれかに記載した墓石において、蓋の前面に文字、絵柄等の表示体が形成されていることを特徴とする墓石である。
【００１１】
請求項７の発明は、請求項１から６のいずれかに記載した墓石において、塔婆立てを有し、前記塔婆立ては、間隔を開けて互いに対向して配置された支柱と、前記一対の支柱間に渡設され塔婆を上方から差し込む梯子状のフレーム部とから成り、前記フレーム部は上下方向に多段になるように複数配置され、前記フレーム部に長寸法の人間用塔婆と短寸法のペット用塔婆の両方を立てることができるようになっていることを特徴とする墓石である。
【考案の効果】
【００１２】
本考案の墓石では、人間とペットの両方を納骨でき、人間単独用のものと同じサイズのスペースに設置することが可能となる。
【図面の簡単な説明】
【００１３】
【図１】本考案の実施の形態に係る墓石の斜視図である。
【図２】図１の右側面図である。
【図３】図１の墓石の一部縦断面図である。
【図４】図１の墓石の正面図である。
【図５】図１の墓石の背面図である。
【図６】図１の墓石の平面図である。
【考案を実施するための形態】
【００１４】
本考案の実施の形態に係る墓石１を図面にしたがって説明する。
符号３はカロートを示し、このカロート３は石のブロックから成る左右一対のブロック状部５、７を有している。ブロック状部５、７はほぼ直方体で対称形状を為し、カロート３の前端部分を構成している。
また、カロート３は左右の側板８、背板部９、扉部１１を有しており、これらのブロック状部５、７、左右の側板８、背板部９及び扉部１１に囲まれた空間が人間用の納骨室１３となっている。
【００１５】
ブロック状部５、７の前面には２つの収容穴１５がそれぞれ形成されており、収容穴１５は上下方向に配置されている。ブロック状部５、７は中実なので収容穴１５は有底となっている。また、収容穴１５は円柱状の穴となっており、底部１９に向かって下降するように傾斜している。
収容穴１５は開口２１側に形成された大断面積部としての大径部２３と、この大径部２３より径寸法が小さい、すなわち大径部２３より横断面の面積が小さい小径部２５とから成る。小径部２５は底部１９側に形成されており、大径部２３と小径部２５との間には段部２７が形成されている。
【００１６】
符号２９はペット用の納骨容器を示し、このペット用の納骨容器２９はステンレススチールによって構成され、有底の円筒状に形成されている。ペット用の納骨容器２９は収納穴１５の小径部２５に僅かな隙間を開けて収まる外径寸法と長さ寸法に形成されている。
符号３１は蓋を示し、この蓋３１はある程度の厚さ寸法を有する円板状で、大径部２３の深さ寸法より大きい厚さ寸法に形成されている。蓋３１の前面には例えばペットの名前を示す文字、ペットの写真を転写した絵柄から成る表示体３３が形成されている。
【００１７】
カロート３上には上台石３５が設置されており、上台石３５上には棹石３７が備えられている。更に、上台石３５には香炉３９と、この香炉３９を挟んで左右両側に配置された花立て４１が備えられている。
また、棹石３７の背面側には塔婆立て４３が設けられている。図５に示すように塔婆立て４３は一対の支柱４４と３つの梯子状のフレーム部４５、４７、４９とから成る。フレーム部４５、４７、４９は上下方向に多段になるように互いに対向して配置されている。フレーム部４５、４７、４９に長寸法の人間用塔婆５１と短寸法のペット用塔婆５３を上方から差し込むことで立設することができる。人間用塔婆５１はフレーム部４５、４７、４９によって支持され、ペット用塔婆５３はフレーム部４５、４７によって支持される。このように、人間用、ペット用両方の塔婆に対応することが可能である。
【００１８】
次に、この墓石１によって構成される墓地に納骨する方法を説明する。
人間の骨の納骨を行う場合は、扉１１を開けて人間用の納骨室１３に骨を収容する。これは、人間単独用の墓と同様である。
ペットの遺骨Ｐの納骨を行う場合は、まず遺骨Ｐを納骨容器２９に収容する（図３参照）。そして、この納骨容器２９を収容穴１５の開口２１から入れて小径部２５へ入れる。前述のように収容穴１５は底部１９に向かって下降するように傾斜しているので、納骨容器２９は小径部２５へ滑り込み、その底が底部１９に当接したところで停止する。
【００１９】
そして、段部２７に接着剤（図示せず）を塗布して、蓋３１を大径部２３へ嵌め込むように入れ縁部分４８を段部２７に当接させて、開口２１を閉鎖した状態で蓋３１を段部２７に接着する。このようにして、墓石１では比較的簡単な作業でペットの納骨を行うことができる。
また、４つの収容穴１５を有していることから、４匹分のペットの納骨に対応することが可能である。
【００２０】
以上のように、この墓石１を用いた墓地では、カロート３のブロック状部５、７の収容穴１５にペットの遺骨Ｐを入れたペット用の納骨容器２９を収容して納骨するので、人間とペットの両方を納骨でき、人間単独用のものと同じサイズのスペースに設置することが可能である。
【００２１】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では所謂洋式の墓石を示したが、本考案はこれに限定されず和式の墓石に適用してもよいのは勿論である。
ブロック状部は直方体に限らず、球体等の他の形状であってもよい。
【００２２】
また、収容穴はカロートに形成するだけでなく、墓石の他の部分に形成してもよい。
収容穴の数、形状等は墓石のサイズ、形状等に応じて適宜変更することができる。この収容穴の形状に合わせてペット用の納骨容器の形状を変更することは勿論である。例えば、収容穴は円柱状以外の四角柱状等の多角柱状、横断面が星形等の形状であってもよい。
また、ペット用の納骨容器の構成材料としてステンレススチール以外の金属、合成樹脂等を使用することが可能である。
更に、収容穴をブロック状部の前面以外の上面、側面及び背面に設けるようにしてもよい。
【産業上の利用可能性】
【００２３】
本考案は墓石の製造業において利用可能性を有する。
【符号の説明】
【００２４】
１…墓石              ３…カロート              ５、７…ブロック状部
８…左右の側板        ９…背板部              １１…扉部
１３…人間用の納骨室  １５…収容穴              １９…底部
２１…収容穴の開口    ２３…収容穴の大径部      ２５…収容穴の小径部
２７…段部            ２９…ペット用の納骨容器  ３１…蓋
３３…表示体          ３５…上台石              ３７…棹石
３９…香炉            ４１…花立て              ４３…塔婆立て
４４…支柱            ４８…蓋の縁部分
４５、４７、４９…フレーム部
５１…人間用塔        ５３…ペット用塔婆
Ｐ…ペットの遺骨
【図１】
0003199489.tif 000003
【図２】
0003199489.tif 000004
【図３】
0003199489.tif 000005
【図４】
0003199489.tif 000006
【図５】
0003199489.tif 000007
【図６】
0003199489.tif 000008